【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
１組分の複数色のインクが周期的に配置されたインクリボンの少なくとも１組の色インクを用いて、印刷媒体に画像を印刷する印刷装置であって、
複数組の色インクを用いて１つの印刷画像が印刷される場合に、前記印刷画像を前記１組の色インクを用いて印刷可能なサイズ以下のサイズに分割することにより、前記１組の色インクにより印刷される前記印刷画像中の領域を設定する設定手段と、
前記設定手段により設定された領域に基づいて、複数組の色インクを用いて前記印刷画像を印刷するための制御を行う制御手段と、を有し、
前記設定手段は、前記印刷画像の印刷に必要となる前記色インクの組数が最小数となるように前記印刷画像を複数の領域に分割することを特徴とする印刷装置。
【請求項２】
前記印刷画像の印刷に必要となる最小数の前記色インクの組数を算出する算出手段をさらに有することを特徴とする請求項１に記載の印刷装置。
【請求項３】
前記印刷画像のサイズと前記１組の色インクの印刷可能サイズとに基づいて、前記設定手段が前記印刷画像を分割する際に分割可能とする分割可能領域を決定する分割可能領域決定手段をさらに有し、
前記設定手段は、前記分割可能領域決定手段により決定された前記分割可能領域内において、前記印刷画像を分割する分割線を設定することを特徴とする請求項１または２に記載の印刷装置。
【請求項４】
前記設定手段は、ユーザからの指示に応じて前記分割線を変更可能であり、前記印刷画像の印刷に必要となる前記色インクの組数が増加しない範囲で、前記分割線を変更することを特徴とする請求項３に記載の印刷装置。
【請求項５】
前記分割可能領域決定手段は、前記印刷画像のアスペクト比と、前記１組の色インクを用いて印刷可能な領域のアスペクト比とに基づいて、前記分割可能領域を決定することを特徴とする請求項３または４に記載の印刷装置。
【請求項６】
前記印刷画像から人物の顔を含む顔領域を検出する顔領域検出手段を更に備え、
前記設定手段は、前記顔領域検出手段により検出された顔領域を避けて前記分割線を設定することを特徴とする請求項３ないし５のいずれか１項に記載の印刷装置。
【請求項７】
前記印刷画像のエッジを検出するエッジ検出手段をさらに有し、
前記設定手段は、前記エッジ検出手段により検出されたエッジに基づいて、前記分割線を設定することを特徴とする請求項３ないし６のいずれか１項に記載の印刷装置。
【請求項８】
前記エッジ検出手段は、前記分割可能領域に含まれる画像のエッジの中でエッジ強度が予め設定された条件を満たすエッジを検出し、
前記設定手段は、前記条件を満たすエッジによって前記分割線が設定できない場合、前記条件を逓減して検出されたエッジにより前記分割線を設定することを特徴とする請求項７記載の印刷装置。
【請求項９】
前記設定手段は、前記エッジ検出手段により検出された画像のエッジを含み、且つ前記印刷画像を分割するための分割線が最短となるように当該分割線を設定することを特徴とする請求項７または８に記載の印刷装置。
【請求項１０】
前記エッジ検出手段は、前記分割可能領域に含まれる画像のエッジの中で予め設定された閾値を満たすエッジ強度のエッジを検出し、
前記分割可能領域決定手段は、前記エッジ検出手段において前記閾値を満たすエッジが検出できない場合、又は、前記エッジ検出手段により検出された画像のエッジを含むように設定された前記印刷画像を分割するための分割線の終端が前記印刷画像の縁に至らない場合に、前記分割可能領域を再設定することを特徴とする請求項７ないし９のいずれか１項に記載の印刷装置。
【請求項１１】
前記設定手段により設定された前記分割線を前記印刷画像に重畳させて表示する表示手段をさらに有することを特徴とする請求項３ないし１０のいずれか１項に記載の印刷装置。
【請求項１２】
１組分の複数色のインクが周期的に配置されたインクリボンの少なくとも１組の色インクを用いて、印刷媒体に画像を印刷する印刷装置であって、
複数組の色インクを用いて１つの印刷画像が印刷される場合に、１組分の色インクを使用して印刷される前記印刷画像の各領域を表示手段に表示する表示制御手段と、
前記表示手段に表示される各領域を、操作部材への操作に応じて変更する変更手段と、
前記変更手段により変更された領域に基づいて、複数組の色インクを用いて前記印刷画像を印刷するための制御を行う制御手段と、を有することを特徴とする印刷装置。
【請求項１３】
１組分の複数色のインクが周期的に配置されたインクリボンの少なくとも１組の色インクを用いて、印刷媒体に画像を印刷する印刷装置の制御方法であって、
複数組の色インクを用いて１つの印刷画像が印刷される場合に、前記印刷画像を前記１組の色インクを用いて印刷可能なサイズ以下のサイズに分割することにより、前記１組の色インクにより印刷される前記印刷画像中の領域を設定する設定工程と、
前記設定工程において設定された領域に基づいて、複数組の色インクを用いて前記印刷画像を印刷するための制御を行う制御工程と、を有し、
前記設定工程において、前記印刷画像の印刷に必要となる前記色インクの組数が最小数となるように前記印刷画像を複数の領域に分割することを特徴とする印刷装置の制御方法。
【請求項１４】
１組分の複数色のインクが周期的に配置されたインクリボンの少なくとも１組の色インクを用いて、印刷媒体に画像を印刷する印刷装置の制御方法であって、
複数組の色インクを用いて１つの印刷画像が印刷される場合に、１組分の色インクを使用して印刷される前記印刷画像の各領域を表示手段に表示する表示制御工程と、
前記表示手段に表示される各領域を、操作部材への操作に応じて変更する変更工程と、
前記変更工程において変更された領域に基づいて、複数組の色インクを用いて前記印刷画像を印刷するための制御を行う制御工程と、を有することを特徴とする印刷装置の制御方法。
【請求項１５】
請求項１３または１４に記載の印刷装置の制御方法の各工程をコンピュータに実行させるためのプログラム。
【請求項１６】
請求項１５に記載のプログラムを記憶したコンピュータが読み取り可能な記憶媒体。
【手続補正２】
【補正対象書類名】明細書
【補正対象項目名】０００９
【補正方法】変更
【補正の内容】
【０００９】
上記目的を達成するため、本発明の印刷装置は、１組分の複数色のインクが周期的に配置されたインクリボンの少なくとも１組の色インクを用いて、印刷媒体に画像を印刷する印刷装置であって、複数組の色インクを用いて１つの印刷画像が印刷される場合に、印刷画像を１組の色インクを用いて印刷可能なサイズ以下のサイズに分割することにより、１組の色インクにより印刷される印刷画像中の領域を設定する設定手段と、設定手段により設定された領域に基づいて、複数組の色インクを用いて印刷画像を印刷するための制御を行う制御手段と、を有し、設定手段は、印刷画像の印刷に必要となる色インクの組数が最小数となるように印刷画像を複数の領域に分割することを特徴とする。
【手続補正３】
【補正対象書類名】明細書
【補正対象項目名】００１０
【補正方法】変更
【補正の内容】
【００１０】
上記目的を達成するため、本発明の印刷装置は、１組分の複数色のインクが周期的に配置されたインクリボンの少なくとも１組の色インクを用いて、印刷媒体に画像を印刷する印刷装置であって、複数組の色インクを用いて１つの印刷画像が印刷される場合に、１組分の色インクを使用して印刷される印刷画像の各領域を表示手段に表示する表示制御手段と、表示手段に表示される各領域を、操作部材への操作に応じて変更する変更手段と、変更手段により変更された領域に基づいて、複数組の色インクを用いて印刷画像を印刷するための制御を行う制御手段と、を有することを特徴とする。